(57)【特許請求の範囲】
【請求項１】
プログラムの記録の方法であって、
ユーザからの第１の停止要求に応答して、受信するプログラムを前記ユーザに提示することを停止する第１の一時停止を開始し、該第１の一時停止の間に受信する前記プログラムのプログラムセグメントの夫々をディスク媒体の１つおきのトラックセグメントから成る第１のパターンに記録するステップと、
前記ユーザからの第１の停止解除要求に応答して、前記第１の一時停止を終了して、前記第１のパターンに記録されたプログラムセグメントを読み出して前記ユーザに提示するとともに、前記第１の一時停止の終了後に受信する前記プログラムのプログラムセグメントの夫々を、前記第１のパターンに対して交互配置の関係にある前記ディスク媒体の１つおきのトラックセグメントから成る第２のパターンにおいて前記第１の一時停止の間にプログラムセグメントが記録された前記第１のパターンのトラックセグメントに隣接するトラックセグメントに順次記録するステップと、
前記ユーザからの第２の停止要求に応答して、前記第１のパターンに記録されたプログラムセグメントを読み出して前記ユーザに提示することを停止する第２の一時停止を開始し、該第２の一時停止の間に受信する前記プログラムのプログラムセグメントの夫々を、前記第１の一時停止の間にプログラムセグメントが記録された前記第１のパターンのトラックセグメントに隣接しない前記第２のパターンのトラックセグメントに順次記録するステップと、
前記ユーザからの第２の停止解除要求に応答して、前記第２の一時停止を終了して、該第２の一時停止の開始前に最後に読み出されたプログラムセグメントに続くプログラムセグメントを前記第１のパターンから読み出して前記ユーザに提示するとともに、前記第２の一時停止の終了後に受信する前記プログラムのプログラムセグメントの夫々を、該第２の一時停止の終了後にプログラムセグメントが読み出される第１のパターンのトラックセグメントに隣接する前記第２のパターンのトラックセグメントに順次記録するステップと
を有する、方法。
【請求項２】
前記ディスク媒体は、ディジタルビデオディスクである、
請求項１に記載の方法。
【請求項３】
前記第１の一時停止の間にプログラムセグメントを記録された前記第１のパターンのトラックセグメントのうち未だ読み出されていないトラックセグメントの数はｎであり、前記第２のパターンにおいて、前記第２の一時停止の開始前に最後にプログラムセグメントが記録されるトラックセグメントと、前記第２の一時停止の開始後に最初にプログラムセグメントが記録されるトラックセグメントとは、少なくともトラックセグメント（２ｎ＋１）個分の距離によって相隔てられる、
請求項１に記載の方法。
【発明の詳細な説明】
【０００１】
発明の背景
本発明の一般的には、例えば、レコーダブルディジタルビデオディスクのような、ディスク媒体上に記録されたオーディオ及び/又はビデオプログラムのための進んだ動作の特徴を提供する方法と装置に関連する。
【０００２】
種々の装置は、消費者が後に表示のためにビデオ及びオーディオプログラムを記録することを可能とするために開発されている。そのような装置は、テープレコーダ、ビデオカセットレコーダ、レコーダブルコンパクトディスク、及び、最も最近では、レコーダブルディジタルビデオディスク（ＤＶＤ）を含む。１回のみ記録可能なＤＶＤは、その後は本質的にはＤＶＤ読出し専用メモリであり、頭字語でＤＶＤ−Ｒと呼ばれる。頭字語ＤＶＤ−Ｒは、一般的にはライトワンス又は、レコードワンス技術と呼ばれるのも使用されている。記録され、消去されそして再記録され即ち上書き又は、再書き込みされるＤＶＤには、幾つかのフォーマットが利用できる。これらは、頭字語ＤＶＤ−ＲＡＭ、ＤＶＤ−ＲＷ及び、ＤＶＤ＋ＲＷと呼ばれる。現在、１つの業界標準は適用されていない。頭字語ＤＶＤ−ＲＡＭ、ＤＶＤ−ＲＷ及び、ＤＶＤ＋ＲＷも、一般的にはそれぞれリライタブル技術と呼ぶのが使用されている。リライタブルＤＶＤ技術、装置と方法の参照は一般的には、将来開発され得るものと、現在使用されている、全ての標準を含むことが意図される。
【０００３】
多くの場合には、プログラム表示は、視聴者のいないときに、後の更に便利なときに表示するために、記録される。これはプログラムのタイムシフトと呼ばれる。他のときに、プログラムは記録されること無くそして記録に興味なく、視聴されるが、しかし、例えば、電話や予期しない訪問者により、視聴者の注意は中断される。視聴者がテレビジョンを見ている場合に、例えば、そして、ＶＣＲ内にカセットテープがあり、又は、カセットテープを取りだしそしてロードすると、プログラムは記録される。しかしながら、記録が完了するまで、視聴者はその全体のプログラムを適切な時間順序で見て且つ聞くことが出来ない。記録の完了時間は短いか又は長く、プログラムの長さに依存する。
【０００４】
ＤＶＤ装置の望ましい特徴は、中断又は一時停止中にプログラム内容を犠牲にすることなく、中断又は一時停止が終了するや否や、視聴者が、プログラムの表示の再開を開始することを可能とする。
【０００５】
リライタブルＤＶＤ技術が一般的には利用できるが、動作は、再生、記録、早送り戻し又は、停止のような基本機能に制限される。一時停止は、利用できるが、しかし、例えば、予め記録されたプログラムの再生の中断又は、記録からコマーシャルを除去するための視聴プログラムの記録の中断のような、ＶＣＲの動作を一時停止することにのみ対応する。コンピュータのハードドライブと異なり、レコーダブルＤＶＤ装置は、非常に重要な追加の機能を有する。この機能は、予め記録されたＤＶＤを再生することである。従って、コンピュータのハードディスクの代わりに使用できる方法と装置を含む、リライタブルＤＶＤ技術を開発する経済的誘因がある。コストの減少と販売の増加の目標を妥協すること無く、改善された、優位な特徴を有するそのような装置を提供することが課題である。そのような新しいＤＶＤの特徴は、コンピュータハードディスクの高動作速度無しで、シームレスに、見ながら同時にディスク媒体上に記録する能力を含むべきである。読出しと書き込みのための単一ヘッドを有するレコーダブルＤＶＤ装置は、同時に読出し且つ書き込みをすることができない。従って、用語、シームレスと、同時に、は、ここでは、機能が実際には交互に又は多重されていても、プログラム素材の記録と再生が、発明の配置に従って、視聴者に同時に出現することを示す。
【０００６】
例えば、１Ｘ（１倍）読出しと１Ｘ（１倍）書き込み能力を有する基本的なリライタブルＤＶＤ装置は、典型的には、約１１メガビット／秒のみの記録又は、再生の最大データレートを有する。
【０００７】
そのような基本的なリライタブルＤＶＤ装置内で単一の一時停止を実行するシステムは、１９９９年３月３１に出願された米国特許出願番号０９／４３３４３４、今は米国特許番号（有効な場合には特許番号を挿入）に記載されている。複数の一時停止は、更に問題がある。複数の一時停止は、非常に大きな数の頻繁なジャンプを引き起こしうる。頻繁なジャンプは、書き込みと読出しのデューティーサイクルの減少、機械雑音の増加及び、動作寿命の減少を含む、幾つかの理由により問題である。
【０００８】
ジャンプ中に、ディスク媒体に書き込み又は、ディスク媒体から読み出すことは不可能である。従って、書き込みと読出しには非常に少しの時間しか利用できず、そして、したがって書き込みと読出しのデューティーサイクルは非常に減少される。この結果、書き込みと読出しレートは、おそらくプレーヤ／レコーダの能力よりも大きく、非常に増加されねばならない。上述の１Ｘの装置では、利用できる最大データレートは、再生に約５メガビット／秒そして記録に約５メガビット／秒である。そのようなレートは最小能力の機械の最小レートの半分のみであり、従って、明らかに、特に複数の一時停止に対しては、そのような機械で同時に再生し且つ記録するのは不可能に見える。
【０００９】
頻繁なジャンプは、コンピュータハードディスクドライブでしばしば聞こえるような、多くの可聴雑音を発生する。そのような雑音は、例えば、ＨＤＴＶムービーをサラウンド音で視聴しているときには、とくに気になる。
【００１０】
頻繁なジャンプはピックアップ組立体を、早期に摩耗する。
【００１１】
複数の一時停止を管理することは、単一の一時停止を管理するよりも非常に難しい。第２の一時停止を開始するユーザコマンドはプログラムの真中でのみ発生するだけでなく、第１の一時停止の結果の連続する同時の記録／再生シーケンスの最中にも発生することは、理解されるべきである。従って、第２の更なる一時停止を実行することを可能としそして、更に、最大の利用できるデータレートの制約内でそのような特徴を可能とする、新しい特徴を提供することが望ましい。
【００１２】
発明の概要
本発明の配置に従って、トラック上の第１のパターンのインターリーブされたセグメント内にプログラムを記録することと、前記プログラムを前記第１のパターンのインターリーブされたセグメントから再生することとを交互に行うことにより、先に一時停止されている前記プログラムを記録し且つ見る過程の中で、第２の一時停止を実行するために、ディスク媒体を使用する方法であって、この方法は、（ａ）前記第２の一時停止の開始に際して、前記第１のパターンのセグメントに記録することと、該第１のパターンのセグメントから再生することとを交互に行うことを中断して、前記トラックの異なる部分にジャンプするステップと、（ｂ）第２のパターンのインターリーブされたセグメントを、前記第２の一時停止の終了まで、１つおきの第２のパターンのインターリーブされたセグメント上に前記プログラムを記録することにより、前記トラックの前記異なる部分に確立するステップと、（ｃ）前記第１のパターンのセグメント及び前記第２のパターンのセグメントの夫々の中で記録及び再生を交互に行うことにより、前記第１のパターンのセグメントの連続及び前記第２のパターンのセグメントの連続を交互に発生するステップとを有し、前記ステップ（ｃ）の最中に、（ｄ）記録されたセグメントが前記第１のパターンのセグメント又は前記第２のパターンのセグメントの夫々の中で順番に再生されることが可能である限り、前記記録及び再生を交互に行う間に前記第１のパターンのセグメント又は前記第２のパターンのセグメントの夫々の中でセグメントからセグメントへ順次移動するステップと、（ｅ）再生されるべき次のセグメントが、前記第１のパターンのセグメント又は前記第２のパターンのセグメントの他の１つ内にあるときにのみ、前記第１のパターンのセグメントと前記第２のパターンのセグメントとの間を移動するステップとを有する。
【００１３】
ディスク媒体のトラックを使用してプログラムをシームレスに記録し且つ再生する方法であって、（ａ）第１のパターンのインターリーブされたセグメント及び第２のパターンのインターリーブされたセグメントの夫々の中で前記プログラムの一部の記録及び再生を交互に行うことにより、前記トラック上の前記第１のパターンのインターリーブされたセグメントの連続及び前記トラック上の前記第２のパターンのインターリーブされたセグメントの連続を交互に発生するステップと、（ｂ）記録されたセグメントが前記第１のパターンのセグメント又は前記第２のパターンのセグメントの夫々の中で順番に再生されることが可能である限り、前記記録及び再生を交互に行う間に前記第１のパターンのセグメント又は前記第２のパターンのセグメントの夫々の中でセグメントからセグメントへ順次移動するステップと、（ｃ）再生されるべき次のセグメントが、前記第１のパターンのセグメント又は前記第２のパターンのセグメントの他の１つ内にあるときにのみ、前記第１のパターンのセグメント及び前記第２のパターンのセグメントの間を移動するステップとを有する。
【００１４】
本発明の配置の更なる特徴に従って、複数の一時停止に関わらず、明らかに同時な記録及び再生は、視聴者に、優位にトランスペアレントであり又は、少なくとも実質的にトランスペアレントである。リライタブルＤＶＤ装置と対応する方法は、一時停止が終了したときに、回復として示されるように、プログラム表示が視聴者に再生されることを可能とするがしかし、再生は一時停止の開始したときから開始する。リライタブルＤＶＤ装置は、プログラムが最初にもちろん終了しない場合には、一時停止及び、長さに対応する時間の期間の間、同時に記録し且つ再生する。
【００１５】
複数の一時停止は、ジャンプの数と頻度が最小に保持されるように、本発明の配置に従って実行されることが可能である。本発明の配置では、記録と再生はトラックの連続する交互のセグメントに発生するので、ジャンプは、大部分の同時の記録及び再生中には必要とされない。ジャンプが必要とされる唯一のときは、最も古い再生されていない記録されたセグメントが、最後の記録されたセグメントに隣接しないときである。
【００１６】
記録／再生ヘッドは、ジャンプのたびに雑音を発生する。大きな数のジャンプが必要なときには、多くの雑音が発生される。多くの部分に対しては、ＤＶＤプレーヤは、プログラム音は、聞こえる音のみであると考えられる環境で動作することが意図されている。本発明の配置は、ジャンプ雑音を最小化することにより、この環境を大きく向上する。頻繁なジャンプも、過度に、記録／再生ヘッドに関連する機械的な組立体の動作寿命を減少する効果も有する。複数の一時停止は、このように、書き込みと読出しのデューティーサイクルの最小の可能な減少、最小の量の雑音及び、動作寿命への最小の悪影響を可能化する。
【００１７】
最後に、複数の一時停止を実行する方法と装置は、ここでは、記録及び再生進行としてリライタブルＤＶＤのトラックにそって進むことにより、リライタブルＤＶＤの最大の有益な再記録寿命を促進することに一貫している。
【００１８】
好適な実施例の詳細な説明
本発明の配置に従った、リライタブルディスク媒体１０２を使用する、一時停止及び再生の間の記録を実行する装置１００は、図１のブロック図の形式で示されている。リライタブルディスク媒体１０２は、リライタブルＤＶＤとして具体化される。装置１００は、リライタブルＤＶＤ１０２に書き込みそして、そこから読み出すことができる。装置１００は、機械的組立体１０４、制御部１２０、ビデオ／オーディオ入力処理パス１４０及び、ビデオ／オーディオ出力処理パス１７０を有する。異なる部分又はパスの多くのブロックの配置は自明であり、一方幾つかのブロックの配置は、便宜上なされているものであり、この装置の動作の理解には重大ではない。
【００１９】
機械的組立体１０４は、ＤＶＤ１０２を回転させるモーター１０６と、回転するディスク上を移動するように適用されたピックアップ組立体１０８とを有する。ピックアップ組立体１０８上のレーザは、ビデオ及び／又オーディオプログラム素材を記録し且つ再生するために、ディスク上のらせんトラック上にスポットを焼き又は既にトラック上に焼かれたスポットを照射する。本発明の理解のために、１つの又は２つのサイドに記録可能かどうか又は、両側の記録の場合には、両側記録又は、続いてのディスクからの読出しが、ディスクの同じ側から又は両側から起こるかどうかには関わらない。ピックアップとモーターは、サーボ１１０により制御される。サーボ１１０は、第１の入力に、ディスク１０２のらせんトラックから読み出されたデータの再生信号も受信する。再生信号は、制御部の一部又は、ビデオ／オーディオ出力処理パスの一部と考えられる、誤り訂正回路１３０の入力でもある。
【００２０】
制御部１２０は、制御中央処理ユニット（ＣＰＵ）１２２と、ナビゲーションデータ発生回路１２６とを有する。制御ＣＰＵ１２２は、ナビゲーションデータ発生回路１２６に第１の入力信号を供給し、そして、サーボ１１０はナビゲーションデータ発生回路１２６に第２の入力信号を供給する。サーボ１１０は、制御部１２０の一部と考えられる。ナビゲーションデータ発生回路１２６は、第１の入力信号をマルチプレクサ（ＭＵＸ）１５４へ供給し、これはビデオ／オーディオ入力処理パス１４０の一部を形成する。ＭＵＸ１５４の出力は、誤り訂正符号化回路１２８の入力である。誤り訂正符号化回路１２８の出力は、ピックアップ１０８に供給される記録可能な入力信号であり、これは、レーザによりディスク１０２のらせんトラック上に”焼かれる”。
【００２１】
視聴者により作動可能な機能のための制御バッファ１３２は、現在利用できる機能、即ち、再生、記録、逆再生、早送り、一時停止／再生及び、停止を示す。一時停止は、ＶＣＲの動作を一時停止することに対応し、例えば、予め記録された番組の再生の中断又は、記録からコマーシャルを除去するための視聴されているプログラムの記録の中断である。（記録及び再生の間の）ポーズと呼ばれる、一時停止及び再生の間の特別の記録機能が、本発明の配置のこの特徴を強調するために、別のバッファ１３６の一部として示されている。
【００２２】
ビデオ／オーディオ入力処理パス１４０は、例えば、ＮＴＳＣ又はＰＡＬの従来のテレビジョン信号を、装置１００によるディジタル記録のための例えば、ＭＰＥＧ−１又は、ＭＰＥＧ−２の、ディジタル化されたパケットデータに変換する信号処理回路である。入力パス１４０はＮＴＳＣデコーダ１４２と、ビデオインのための、例えば、ＭＰＥＧ−１、ＭＰＥＧ−２ビデオ符号化器１４４を含み、且つオーディオアナログ／ディジタル変換器（Ａ／Ｄ）１４６及び、例えば、ＭＰＥＧ−１、ＭＰＥＧ−２オーディオ符号化器１４８を含む。ディジタル化された信号は、マルチプレクサ１５０内で結合されそして、全体のパケットが構成されるまで、記録バッファ１５２内に蓄積される。各パケットが構成されると、各パケットは、ＭＵＸ１５４内でナビゲーションデータ発生回路の出力と結合されそして、誤り訂正符号化回路１２８に送られる。誤り訂正符号化回路１２８は、入力処理パス１４０の一部と考えられる。
【００２３】
実際的な方法で、ディスク上のらせんトラック上の最小のアドレス可能なユニットは、１６セクタのＥＣＣ（誤り訂正符号）ブロックであり、ここで、各セクタは、２０４８バイトのユーザデータを含む。グループは、例えば、１２の整数のＥＣＣブロックである。ブロックの各グループは、約０．５秒の結合されたビデオとオーディオプログラム素材を表す。例えば、１９２セクタの、ＥＣＣブロックのグループを記録するのに必要ならせんトラックにそった線形な空間の量は、らせんトラックのセグメントとしてここでは定義される。従って、記録バッファは１セグメントのデータを蓄積するのに十分に大きい必要があることがわかる。１セグメントのデータは、例えば、約０．５秒のオーディオ及びビデオプログラム素材に対応する。
【００２４】
出力処理パス１７０は、トラックバッファ又は、出力バッファ１７２を含み、その中で、ディスクから読み出されたデータが更なる処理のために、パケットに集められる。パケットは、デマルチプレクサ１７６を介してそして、ビデオ及びオーディオ処理のそれぞれのパスへパケットの伝搬を制御する、条件アクセス回路１７４により処理される。従って、トラックバッファ１７２は、約０．５秒のオーディオ及びビデオプログラム素材に対応する、１セグメントのデータを蓄積するのに十分に大きい必要がある。
【００２５】
発明の配置に従って、入力処理パス１４０内の記録バッファ１５２は、優位に、必要なよりも非常に大きい。現在好適な実施例では、記録バッファは、約１．５秒のビデオ及びオーディオデータ表示を蓄積するのに十分に大きい。また、本発明の配置に従って、出力処理パス１７０内のトラックバッファ１７２も、優位に、必要なよりも非常に大きい。現在好適な実施例では、トラックバッファも、約１．５秒のビデオ及びオーディオデータ表示を蓄積するのに十分に大きい。大きな記録及びトラックバッファは、優位に、本発明の配置に従って、記録及び再生中に、ピックアップ組立体１０８の最長の可能なジャンプに適応させるために、設けられる。更に詳細に説明するように、装置１００の最長の可能なジャンプは、約０．９秒である。ここで教示される改善された特徴のコストは、優位に、改善されたリライタブルＤＶＤ装置を製造するコストに関して、あったとしても、最低限の影響しか有さない。
【００２６】
ビデオは復号器１７８で、例えば、ＭＰＥＧ−１又は、ＭＰＥＧ−２から、復号され、そして、例えば、ＮＴＳＣ又は、ＰＡＬのような従来のテレビジョン信号として符号化される。オーディオは回路１８２により、例えば、ＭＰＥＧ−１又は、ＭＰＥＧ−２から、復号され、そして、オーディオディジタル／アナログ変換器（Ｄ／Ａ）１８４によりアナログ形式に変換される。出力処理パス１７０は、示されたように誤り訂正回路１３０を有する。
【００２７】
装置１００は、例えば、１Ｘ読出し、及び１Ｘ書き込み能力を有する装置を示す。そのような装置は、典型的には、約１１メガビット／秒の、記録及び再生の最大データレートを有する。一時停止及び再生の間の記録機能を実行するために、同時に現れるように、再生（読出し）及び記録（書き込み）を行う必要がある。利用できる最大のデータレートは、再生（読出し）に５メガビット／秒、記録に５メガビット／秒である。そのようなレートは、最小能力の装置の最小レートの半分であり、従って、明らかにそのような装置での同時の再生及び記録は不可能であるように見える。それにも関わらず、そのような最小の能力を有する装置は、記録バッファ及びトラックバッファの優位な管理によって、一時停止及び再生の間の記録機能を実行するのが必要な、明らかに同時の再生及び記録を提供するために、本発明の配置に従って、優位に動作される。本発明の配置は、より高いデータレートを有する装置にも有益であることは理解される。
【００２８】
一時停止及び再生の間の記録（又は、記録及び再生の間の一時停止）特徴は、リライタブルＤＶＤ装置では、非常に望ましい。そのような機能は、例えば、視聴者がテレビジョンプログラムを見ておりそして訪問者又は電話呼出により中断されたときに使用される。視聴者が利用できない時間の間、レコーダはプログラムの記録を継続する。例えば、１から２分から３０分又はそれ以上の、ある時間の期間の後に、視聴者は、視聴者が中断されたところからプログラムの視聴を回復したい。この点で、装置は、入力するプログラム素材の記録を行いながら、一時停止の開始から記録を再生しなければならない。この明らかに同時の再生及び記録は、通常はらせんトラックの記録領域と再生領域の間の大きなジャンプを必要とし、これは、再生と記録の間をビデオレコーダが代わるたびに繰返しなされる必要がある。ジャンプが発生するときに、読出し及び書き込みの何れもが発生しないことが強調されるべきである。従って、ある種のジャンプは平均ビットレートを減少させる。ジャンプが長くなるほど、そしてジャンプが頻繁になるほど、平均ビットレートは大きく減少する。
【００２９】
本発明の配置に従って、書き込みも読み出しも発生しない時間の量を優位に最小化する、一時停止後の記録及び再生のための方法が提供される。従って、この方法は、できる限りジャンプの長さ及び長いジャンプの数を、一時停止及び再生の間の記録特徴の実行を予め排除することなしに、優位に最小化する。発明のバッファ管理及びビットレート管理は、避けることができないジャンプを補償する。この特徴は、再生は実質的に、そうでなくても、完全にシームレスであるので、従って更に視聴者に許容される。一時停止中に、プログラム素材は優位に、少なくとも記録セグメントと同じか又は僅かに長いセグメント間の空間を残して、例えば、ディスクの２又は３回転に等価な短いセグメントに記録される。一時停止が終了すると、ジャンプ戻りが一時停止の先頭に対応する記録の開始に行われ、これにより、記録の再生が開始される。これらの記録されたセグメントの各々が再生されながら、記録されたセグメント間の空間が、入力プログラム素材を記録するのに使用されることが可能である。結局、他のジャンプ戻りが、元の一時停止に等しい他の時間期間が過ぎた後に、なされねばならない。このように、一時停止の期間でなされるジャンプ戻りを除いては、潜在的に長いジャンプが優位に避けられる。言い替えると、一時停止が１０分である場合には、一時停止が終了した後の再生は、１０分の記録されたプログラム素材を収容するのに十分な長いジャンプ戻りを必要とする。そのようなジャンプ戻りは、プログラムの記録と再生が終了するまで、１０分ごとに必要である。十分な長さのバッファメモリは、ディスクから素材が再生されながら記録を待っている符号化されたプログラム素材を蓄積するために、そして、ディスク上に素材が記録されながら復号器へ再生素材供給するために、優位に使用される。バッファは、ジャンプ中に、プログラム素材を再生及び記録するのにも使用される。同時に、所望のバッファ管理を実行するために十分なビットレートを供給するために、符号化器及び復号器のビットレートはこの特徴の実行中に制御できる。符号化器と及び復号器は、例えば、ＭＰＥＧ−２規格に従って動作できる。
【００３０】
本発明の配置目的のために、プログラム素材は、リライタブルＤＶＤの上述のセグメント内に記録されそして、リライタブルＤＶＤから再生される。各セグメントは、図２に示すように、特定の線形長又は、らせんトラックの期間を示す。リライタブルＤＶＤ１０は、装置１００内のディスク１０２として使用するのに適している。このディスクは、ディスクの真中の穴２８の付近で始まり外側にらせんが続く、連続するらせんトラック１２を有する。トラックは、メディア形式インデックスを収容するために、図に示していない、サイド−ツー−サイドウーブルも有する。規模の困難さのために、トラック１２の一部のみが大きく拡大されて、示されている。トラック上の記録の方向は、典型的には、小半径部分から大きな半径部分への、トラックに沿って外側である。幾つかの連続する３つの大きな点
【００３１】
【外１】
0004980535.tif 000002
は、図の中では示されていないトラックの部分を示す。
【００３２】
参照番号１４は、本発明の配置に従って、一時停止中に記録されたセグメントを示す。四角１６は、記録されたセグメントの終わりを示す。四角１６は、未記録セグメント１８の開始も示す。未記録セグメント１８の終わりは、ダイアモンド２０で示されている。ダイアモンド２０も、オプションのガードバンド２２を示し、記録された又は未記録のセグメントよりも小さくてもよい。オプションのガードバンド２２の最後は、円２４で示されている。円２４も、次の記録セグメント２６の先頭を示す。ガードバンドは、リライタブルＤＶＤ装置が、十分に速く再生と記録の間を切り換えできない場合に、セグメントが故意でなく上書きされないことを保証するために設けられる。ガードバンドなしの動作は、記録容量を失わないために必要とされないときに好ましい。
【００３３】
一時停止中−記録方法は、図３−１４に順次示されている。番号が付された垂直線又は、空間はらせんトラックのセグメントを示す。第１の番号を付されたセグメントは、トラックの第１セグメントである必要はないが、しかし一時停止機能が開始されたときに記録される第１のセグメントである。図３に示すように、セグメント１は、一時停止の開始に対応する。その後に、記録された及び未記録及び、セグメントの交互のパターンＡが、トラック上に作られる。記録されたセグメントは奇数番号セグメントの１−４３である。偶数番号のセグメント２−４２は未記録である。ガードバンドは示されていないが、しかし、記録されたセグメントよりも長い未記録セグメントと考えることができる。２２セグメントが図３に示されている。各セグメントは、約０．５秒のプログラム素材を表し、そして、従って、図示された一時停止は約１１秒の長さである。一時停止の長さに関わらず、パターンＡは、一時停止が終了するまで継続する。視聴者が一時停止を終了しない場合には、制御ルーチンが、例えば、トラックの最後のセグメントが記録された又は、プログラムが終了したときに、一時停止を終了する。
【００３４】
図４に示すように、一時停止が終了したときに、装置は、ジャンプする前に、最初に、ディスク媒体上に書き込まれているセグメントの書き込みを終了しなければならない。図３の最後に記録されたセグメントは、セグメント４３である。終了がセグメント４２のスキップ中に発生した場合には、例えば、セグメント４３は完全に書き込まれねばならない。ピックアップ組立体は、セグメント１にジャンプして戻る。このジャンプの後に、プログラム素材が失われないように、記録しながら再生を開始することが望ましい。これは、発明のバッファ管理方法の初期化を必要とする。この方法を理解することは、一時停止が終了されたときに装置の開始条件を理解することを必要とする。記録中に、ディスク媒体から読み出されるプログラム素材はない。トラックバッファ１７２に書き込まれるプログラム素材は無く、トラックバッファから読み出されそして、再生パス１７０を通して視聴者に再生されるプログラム素材は無い。短く言えば、トラックバッファ１７２は空である。同時に、符号化されたプログラム素材は記録バッファ１５２を通して送られ、そして、交番するパターンとビットレートが許す限り速く、ディスク上に書き込まれる。図示された実施例のピークビットレートは、１１メガビット／秒である。従って、記録バッファ１５２は、空又はほぼ空である。
【００３５】
ディスク媒体の交互の読出し及び書き込みが、明らかに同時にプログラム素材の読出し及び書き込みが行われている間に発生するために、トラックバッファは、ディスク媒体上に書き込み中に再生されるために、十分なプログラム素材がそこに蓄積されなければならない。同様に、記録バッファは、データの損失を避けるために、ディスク媒体からデータが読み出されているときに、十分なプログラム素材を蓄積するために十分に空でなければならない。本発明の配置に従って、それぞれの入力及び出力パスバッファが、プログラム素材の約１．５秒に等価な、プログラム素材の３セグメントを蓄積する能力を必要とされることが、決定される。このサイズのバッファは、装置１００及び、等価なデータレートの他の装置内の、記録及び再生特徴中に一時停止のシームレス動作を可能とする。
【００３６】
一時停止が終了した時点で、必要なバッファ条件は満たされていない。更に、あるビットレート能力が、一時停止が終了した後に、バッファを初期化するのに利用できなければならない。従って、一旦一時停止が開始されると、符号化器に対するビットレートが一定のビットレートに設定される。復号器は、符号化中のビットレートに対応するレートで復号しなければならず、したがって、復号器は自動的に符号化周波数で動作し且つ特定の値に設定する必要はない。現在好適な実施例では、一定のビットレートは、各場合に、５メガビット／秒である。これは、約１メガビット／秒（１１メガビット／秒以下の２Ｘ５メガビット／秒）のビットレート能力をバッファを制御するために残す。
【００３７】
一時停止終了後のこのジャンプは、図４に示されている。このジャンプは、最初のジャンプであると考えられる。第１のジャンプが開始するとすぐに、ディスク媒体上の書き込みは不可能である。しかしながら、５メガビット／秒の減少され且つ一定のビットレートであるが、符号化器はまだ出力を供給する。従って、図５に示されたパターンＢのセグメントとなるプログラム素材は、順次記録バッファ１５２に蓄積される。ジャンプが終了するとすぐに、そして、記録バッファが充填を継続しながら、パターンＡの第１のセグメントは、ディスク媒体から読み出されそして、トラックバッファ１７２に蓄積される。
【００３８】
余分なビットレート能力は、バッファ動作が安定な状態に達することを可能にする。この場合に、記録バッファ及びトラックバッファを充填し及び空にすることは、常に相補的である。言い替えると、入力バッファは、出力バッファが空にされると、充填される等である。又、２つのバッファのデータの和は、容量の割合として、常に実質的に一定である。例えば、１つのバッファが１／３充填である場合には、他のバッファは２／３充填である。１つのバッファが１／２充填である場合には、他のバッファは１／２充填である。各バッファが３セグメントを保持できる場合には、現在好適な実施例では、両バッファ内のセグメントの数の和は同時に一定で且つ３に等しくなければならない。
【００３９】
図５は、一旦バッファの安定な状態の動作に達すると交互のシーケンスで発生する、パターンＡのセグメント１−４３の読出しとパターンＢのセグメント２−４４の書き込みを示す。
【００４０】
図６は、第２のジャンプ戻りを示し、そして、実際にはすべての残りのジャンプ戻りを示す。第１のジャンプがセグメント４３からセグメント１に起こるときに、バッファは初期化されない。第２のジャンプがセグメント４４からセグメント２に起こるときには、バッファはすでに初期化され、そして、相補的に動作する。従って、第２のジャンプが開始した後に、トラックバッファは、ジャンプの間、セグメントが読み出されるとともに、再生が中断されずに継続するよう、十分に充填されている。同時に、記録バッファはデータの損失を防ぐために、ジャンプ中に蓄積されるべき符号化されたセグメントに対して十分に空である。ジャンプ戻り中の記録と再生は、一時停止の長さと同じ時間期間を有する。
【００４１】
図７に示すように、偶数番号のセグメント２−４４が再生されながら、パターンＣの奇数番号のセグメント３−４５が交互に記録される。偶数番号のセグメント２−４４が再生された後に、そして、奇数番号のセグメント３−４５が記録された後に、ピックアップ組立体は、図８に示すように、再生されるべきパターンＣの第１のセグメントである、セグメント３にジャンプして戻る。奇数番号のセグメント３−４５が再生されながら、パターンＤの偶数番号のセグメント４−４６が、図９に示すように、交互に記録される。
【００４２】
奇数番号のセグメント３−４５が再生された後に、そして、偶数番号のセグメント４−４６が記録された後に、ピックアップ組立体は、図１０に示すように、再生されるべきパターンＤの第１のセグメントである、セグメント４にジャンプして戻る。図１１に示すように、偶数番号のセグメント４−４６が再生されながら、パターンＥの奇数番号のセグメント５−４７が、交互に記録される。偶数番号のセグメント４−４６が再生された後に、そして、奇数番号のセグメント５−４７が記録された後に、ピックアップ組立体は、図１２に示すように、再生されるべきパターンＥの第１のセグメントである、セグメント５にジャンプして戻る。
【００４３】
バッファの安定状態動作の達成後に、処理は、第１のパターンの記録されたセグメントの再生後に、第２のパターンの第１の記録されたセグメントにジャンプして戻り、そして、第２のパターンの記録されたセグメントの再生と、第１のパターンのセグメントに上書きすることにより第３のパターンへのプログラムの記録を交互に行うステップにより要約される。この前進ステップは、プログラムが終了するまで、更なるセグメントのパターンに繰り返される。
【００４４】
例えば、０．９秒間である限り、ジャンプ時間は示されたサイズのバッファにより収容することができると信じられる。ジャンプの継続時間は、ジャンプの時間と、ディスク媒体を再同期させるのに要する時間を含む。バッファが既に安定な状態条件で動作しているので、第１のジャンプ後のジャンプは、更に速く完了する。従って、ディスク媒体からの読出及びそのディス媒体への書込が交互に行われる場合に、再生される媒体の中断はなく、従って、記録及び再生が同時に見える、プログラム素材のシームレス表示を保証する。
【００４５】
この処理は、プログラム表示が終了するまで続く。プログラムが終了する前に、トラックの最後に達する場合には、プログラムが終了するまで記録及び再生の交互の期間が継続するために、トラックの先頭又はトラック上の他の位置にジャンプして戻るルーチンが供給できる。交互の記録及び再生は、図１３の表内に要約される。
【００４６】
この方法の動作は、図１５のフローチャート２００に示され、バッファ管理が強調されている。一時停止はステップ２０２で開始する。第１のパターン（パターンＡ）のセグメントが、例えば、５メガビット／秒のような所望の一定のレートで復号されることを保証することが必要である。従って、復号器が自動的に符号化と同じレートで復号するので、一定のビットレートで、第１のパターンのセグメントを符号化することが必要である。従って、復号器に対するビットレートは、ステップ２０４に従って、所望の一定のビットレートに設定される。復号器は、一時停止が終了されるまで、必要ないことは理解されよう。さらに以下に更に十分に説明するように、一時停止が終了するときに復号器をオフすることは、トラックバッファを更に速く充填させるのに役立つ。従って、現在は、一時停止が開始した後に、ステップ２０６に従って、復号器をオフすることが好ましい。
【００４７】
装置はそして、ステップ２０８で、トラック上の交互のセグメントに第１のパターンのセグメントを記録する。一時停止が終了しない限り、判断ブロック２１０はパス２１３によりステップ２０８にこの方法をもどしそして、待つ。一時停止が終了すると、この方法は、パス２１１でステップ２１２に分岐し、それに従って、装置は第１のパターンの最後のセグメントの記録を完了する。その後に、ピックアップ組立体は、ステップ２１４に従って、第１のパターンの第１のセグメントにジャンプして戻る。ジャンプが進むと、記録バッファはセグメントの充填を開始し、これは、ステップ２１６に従って、第２のパターンとなる。これは、ジャンプ中に入力するプログラム素材が失われないことを保証するのに必要である。
【００４８】
本発明の配置に従って、一時停止の終了後の再生動作はシームレスである。これは、一旦再生が開始すると、再生は中断されないことを意味する。従って、トラックバッファは、アンダーフロー状態であってはならずそうでないと、復号器は、復号する素材が切れ、そして再生は中断される。同時に、記録中にプログラム素材が失われないようにするために、記録バッファはオーバーフロー状態であってはならず、そうでなければ、符号化器の出力は蓄積されるものがない。本発明の配置に従ったバッファの相補的な管理は、これらのバッファの動作条件を満足する。しかし、記録及びトラックバッファは、第１のジャンプと関連して、最初に相補動作のために初期化されねばならない。初期化は、両バッファ内のセグメントの数の和が３に等しくなるとすぐに図示する実施例中で達成される。それが発生するとすぐに、装置は、本発明の配置に従って、交互にセグメントを記録及び再生する。１より多い処理が初期化を達成するのに実行されることは、理解されよう。図１５と関連して記載される初期化の処理は、現在好適である。
【００４９】
記録バッファが充填されるにつれて、判断ステップ２１８は、ジャンプが完了したかどうかを質問する。完了していない場合には、この方法は、パス２２１で分岐して戻り、そして待つ。ジャンプがなされた場合には、この方法はパス２１９で分岐する。ピックアップ組立体が、ディスク媒体からパターンＡの第１のセグメントを読みそして、トラックバッファはステップ２２２に従って、データの充填を開始する。記録バッファは充填を継続する。
【００５０】
トラックバッファが充填されるにつれて、即ち、第１のセグメントがトラックバッファに完全に書き込まれる前に、判断ステップ２２２は、ステップ２２０中に、両バッファ内のセグメントの数の和が３に等しくなったかどうかを質問する。そのようでない場合には、第１のセグメントは、トラックバッファに全体的に書き込まれる。この場合には、この方法は、パス２２３でステップ２２４に分岐し、それに従って、トラックバッファへの第１のセグメントの書き込みが終了し、そして、その後に、トラックバッファへの書き込みが停止する。この時点で、ディスクからの読出し又は、ディスクへの書き込みはない。判断ステップ２２６は、そして、ステップ２２４の後に、両バッファ内のセグメントの数の和が３に等しくなるかどうかを質問し、即ち、復号器がオフされている間に、トラックバッファは第１のセグメントのみを保持し続けそして、記録バッファは充填を継続する。そのようでない場合には、この方法はパス２２９で分岐して戻りそして待つ。記録バッファは結局２セグメントで充填される。この時点で、両バッファのセグメントの数の和は、３に等しく、そして、バッファはこのように初期化される。この方法は、そして、パス２２７で、ステップ２３２へ分岐し、それに従って復号器はオンに戻される。その後に、ステップ２３４と２３６に従って、この装置は、記録バッファからの読出しとディスク媒体への書き込みを開始し、そして、トラックバッファからの読出しと復号器への書き込みを開始できる。記録バッファからの第２のパターンの第１のセグメントをディスク媒体上に書き込んだ後に、第１のパターンの第２のセグメントはディスク媒体から読み出されそして、トラックバッファに書き込まれる。本発明の配置の交互の読出し及び書き込みはこのように確立される。
【００５１】
判断ブロック２２２に戻ると、ディスク媒体から読み出された第１のセグメントがトラックバッファに完全に書き込まれる前に、記録バッファは２セグメント以上でしかし、３セグメント以下で、充填されることが可能である。これが起きるかどうかは、主に、ステップ２１４の第１のジャンプの継続時間に依存する。これが発生すると、両バッファ内のセグメントの数の和が、３に等しいので、第１のセグメントが記録バッファに完全に書き込まれる前に、バッファが初期化される。一旦バッファが初期化されると、両バッファの書き込み及び読出しは、可能化される必要がある。従って、そして、その時点では、この方法は、パス２２５でステップ２２８に分岐し、それに従って、復号器はオンされる。復号器がオンされた後に、ステップ２３０に従って、トラックバッファへの第１のセグメントの書き込みを終了する必要がある。その後に、この装置は、ステップ２３４及び２３６に従って、記録バッファからの読出し及びディスク媒体への書き込みを開始でき、そして、トラックバッファからの読出し及び復号器への書き込みを開始できる。記録バッファからの第２のパターンの第１のセグメントをディスク上に書き込んだ後に、第１のパターンの第２のセグメントがディスク媒体から読み出されそして、トラックバッファに書き込まれる。本発明の配置の交互の読出しと書き込みはこのように確立される。
【００５２】
バッファを初期化する処理に関わらず、所定のビットレートで、次のジャンプのための準備のためにある一定の時間の期間が必要である。図示された実施例では、１メガビット／秒が準備処理に利用できる。この時間期間は、例えば、１０秒以下の長さのような、一時停止が非常に短い場合には利用できない。そのような一時停止は、特徴が偶然に視聴者により選択されることによる。他の可能な原因は、第１の一時停止の後の初期化のすぐ後の第２の一時停止の視聴者による初期化である。従って、例えば、制御プログラムにより、全ての一時停止を最小の継続時間に制限する必要がある。
【００５３】
ステップ２３４及び２３６の後に、装置は交互にディスク媒体から第１のパターンのセグメントを読みそして、ディスク媒体上に第２のパターンのセグメントを書き込み、そして、ステップ２３８に従って、相補的な方法で、バッファを充填し且つ空にする。この処理は図３−５に対応する。
【００５４】
バッファの相補的な動作は、バッファの全体的な動作を参照して理解されるべきであり、全てのときに、瞬時に維持される必要にある条件ではない。図示された実施例では、交互のセグメントに記録中に、記録バッファが、選択された符号化器の出力レートの５メガビット／秒で符号化器により充填される。上述のように、合計のディスクへの書き込みビットレート能力は１１メガビット／秒である場合には、充填するレートと空にするレートとの間の差によって、記録バッファは６メガビット／秒で空にされる。書き込み動作中は、トラックバッファは、復号レートと同じレートで、５メガビット／秒で空にされる。両バッファが空にされると、瞬時に、両バッファのセグメントの数の和が減少する。セグメントがディスクに書き込まれた後に、上述のように、１１メガビット／秒で、セグメントがディスクから読み出されそして、トラックバッファに書き込まれる。トラックバッファは５メガビット／秒で空にされる。従って、ディスクが読み出されるときに、充填するレートと空にするレートとの間の差によって、トラックバッファは６メガビット／秒で充填される。読出し動作中に、記録バッファは、５メガビット／秒で充填される。両バッファが充填され、瞬時に、両バッファのセグメントの数の和が増加する。それにも関わらず、バッファの動作が、読出し／書き込みサイクルの同じ時点、例えば、常に読出し又は書き込み動作の開始、であると考えられるときに、動作の優位な相補的な性質が明らかである。
【００５５】
多くの場合に、第２のパターンが最後のパターンではないがしかしそれは可能である。従って、判断ブロック２４０は、最後のパターンが再生されたかどうかを質問する。そのようでない場合には、この方法は、パス２４１でステップ２４２に分岐し、それに従って、ピックアップ組立体は再生される必要のある次のパターンの第１のセグメントにジャンプして戻る。ジャンプの後に、バッファは既に初期化されているので、装置は、すぐに交互に読出し及び書き込みを行うことができ、そして、ステップ２４４に従って、交互に記録し且つ再生することが可能である。本発明の配置に従って、読出し及び書き込みそして記録及び再生は、本発明の配置に従った相補的な方法でバッファが充填されそして空にされるように実行される。
【００５６】
ステップ２４０、２４２及び、２４４は、判断ブロック２４０が最後のパターンが記録され且つ再生されたと認識するまで繰り返される。この方法は、パス２４３でステップ２４６に分岐する。ステップ２４６は、最後のパターンの処理が、プログラムの最後に対応することに注意する。バッファのデフォルト動作が回復される。この方法はステップ２４８で終了する。
【００５７】
図４、６、８、１０及び、１２に示されたジャンプ戻りは、図１４の表に要約されている。第１のジャンプはセグメント１に戻り、第２のジャンプはセグメント２に戻り、第３のジャンプはセグメント３に戻り、第４のジャンプはセグメント４に戻り、第５のジャンプはセグメント５に戻る等である。各ジャンプ戻りは、ディスク上への再記録又は再書き込みとなる。ディスク媒体の早計な消耗を避けるために、この方法がジャンプして戻るたびに、少なくとも１つのセグメントによりこの方法が進むということが分かる。最初のジャンプ戻りは、奇数番号のセグメント１−４３に書き込み又は再書き込みする。第２のジャンプ戻りは、セグメント１をスキップし、そして、偶数番号のセグメント２−４４に書き込み又は再書き込みする。第３のジャンプ戻りは、セグメント２をスキップし、そして、奇数番号のセグメント３−４５に書き込みする等である。
【００５８】
一時停止中に、トラック内の未記録ギャップが記録されたセグメント間に形成される。１つの記録されたセグメントの最後から、次のセグメントが書き込まれるべきトラック上の位置にジャンプすることが可能である。しかしながら、多くの場合にはピックアップ組立体の下でディスク媒体を単純に回転させ、次のセグメントに達するまでトラックを走査するのが容易である。
【００５９】
必要なよりも速いディスク媒体の回転速度により、トラックの１回転分ジャンプして戻すことがしばしば必要である。そのようなジャンプは、上述のジャンプに関して、第３の種類のジャンプである。そのようなジャンプはＤＶＤ装置に対してさえも非常に短く、そしてそのようなジャンプは、記録及び再生の間の記録（又は一時停止及び再生の間の記録）特徴に必要な、長いジャンプと比較して、特別のバッファ管理又は、大きなバッファサイズを必要とはしない。
【００６０】
リライタブルディスク媒体の記録中の処理は、ここで、本発明の配置に従って教示された、一時停止と再生中の記録特徴以外の、繰返し記録動作に優位であることは理解される。
【００６１】
続く一時停止及び再生の間の記録動作も、本発明の配置に従って可能である。レコーダが一時停止を行うようになされる場合には、視聴者は同じプログラム内で追加の一時停止を望み得る。この特徴は、本発明の配置に従って、記録／再生ヘッドによる最小のジャンプで提供されることが可能である。セグメントを利用する一時停止中の記録は、上述されている。本発明の配置に従った、同じプログラム内の複数の一時停止の実行は、図１６ａ、１６ｂ、及び、１６ｃと関連して説明されている。
【００６２】
図１６ａに示されたらせんトラック図では、各行は、１から４４の番号が付され、ディスク上のトラックの連続するセグメントのシーケンス内の１つのセグメントを示す。各トラックセグメントは、１セグメントのプログラム素材を保持するのに十分に大きい。１セグメントは、この例では、上述されたように、約ビデオ及びオーディオプログラム素材の２分の１秒に等しい。図１６ｂの時間シーケンス図では、書き込み、読出し及び、ジャンプ順序が、書き込みセグメント列及び読出しセグメント列により示されている。図１６ｃに示されたトラックセグメントジャンプチャートは、図１６ａに示されている、記録及び再生のシーケンス内に発生する２つの一時停止により生ずる第１の６つのジャンプを確認する。第６のジャンプとそれに続く多くのジャンプは、図の空間制限により、図１６ｂに示されていない。
【００６３】
複数の一時停止の実施例は、用語”パターン”が単一の一時停止の実施例と異なって定義される場合には、更に簡単に説明される。図１６ａを参照すると、奇数番号のセグメント１から２３と偶数番号のセグメント２から２２は、単一の一時停止の実施例と関連して、別のパターンとして定義される。奇数の番号のセグメント２５から４３と偶数の番号のセグメント２４から４４も同じである。複数の一時停止の実施例では、しかしながら、奇数と偶数番号の両方のセグメント１から２３は、例えば、第１のパターンの、トラック上のインターリーブされたセグメントの１つのパターンとして更に便利に定義される。同様に奇数と偶数番号の両方のセグメント２４から４４は、例えば、第２のパターンの、トラック上のインターリーブされたセグメントの１つのパターンとして更に便利に定義される。
【００６４】
第１のトラックとしてセグメントを指定することは、本発明の処理で使用される第１のセグメントを指定するためであり、そして、トラックの第１のセグメントの必要はないということは理解される。同様に、本発明の処理で記録されるプログラムの第１のセグメントは、プログラムの第１のセグメントである必要はない。確かに、上述の記録を処理する優位性に関して、異なる位置で連続する記録を開始することは利益がある。
【００６５】
用語、記録及び書き込み並びに、用語、読出し及び再生は、しばしば、交換可能に使用されたが、やはり便宜上のためである。更に正確には、プログラム素材は、記録バッファに書き込まれ且つ累積され、そして、記録バッファから読み出されてそして、ディスクに書きこまれる。これは、多くの実際的な目的の記録と等化である。プログラム素材は、ディスクから読み出され、そしてトラックバッファに書きこまれて累積され、そして、トラックバッファから読み出される。これは、多くの実際の目的のための再生と等価である。
【００６６】
プログラムが視聴されており、そしてあるときに、視聴者が最初の一時停止を開始するとする。プログラムは第１の一時停止が開始するとすぐに記録されねばならない。
【００６７】
第１の一時停止は、時間シーケンス図の一番上でＰＡＵＳＥ＃１と示されている。空間トラック図に示されたように、セグメントｎｏ．１として識別されたトラックのセグメントで記録が開始する。本発明の配置に従って、プログラムは、インターリーブされたセグメント１−２３の第１のパターンの、１セグメントおきに、即ち奇数番号のセグメントに、記録される。図１６ｂに示された、時間シーケンス図では、これは連続する書きこみセグメント１−１２により示されている。
【００６８】
第１の一時停止は約１８秒後に終了され、セグメント当り約１．５秒のプログラム素材とする。これは時間シーケンス図に、ＲＥＳＵＭＥ＃１として指定されている。Ｊｕｍｐ＃１は読出し／書きこみヘッドがトラックセグメント１に戻るときに発生する。上述のように記録バッファ及びトラックバッファは初期化されているので、プログラムセグメント１及び２は、トラックバッファを充填するために、最初に読みだされる。バッファが初期化された後に、シーケンスが開始する。プログラムセグメント１３はトラックセグメント４に書きこまれ、プログラムセグメント３はトラックセグメント５から読み出され、プログラムセグメント１４はトラックセグメント６に書きこまれ、プログラムセグメント４はトラックセグメント７から読み出され、そして、時間シーケンス図に示されているようである。交互の再生及び記録は第２の一時停止が開始されるまで継続する。
【００６９】
ある時間後に、例えば、プログラムセグメント１７をトラックセグメント１２に書きこんだ後に、第２の一時停止が開始する。この処理は第２の一時停止が開始するとすぐに記録のみを元に戻す。第２の一時停止は、時間シーケンス図で、ＰＡＵＳＥ＃２と示されている。読出し／書きこみヘッドは、例えば、トラックセグメント２６のような、Ｊｕｍｐ＃２のようなトラックの異なる位置にジャンプする。プログラムは、インターリーブされたセグメント２６−４４の第２のパターンの、１セグメントおきに即ち、偶数番号のセグメントに記録される。時間シーケンス図では、これは、連続して書きこみセグメント１８−２７により示される。
【００７０】
第２の一時停止は、約１５秒後に終了され、セグメント当り約１．５秒のプログラム素材であるとする。これは、時間シーケンス図にＲＥＳＵＭＥ＃２として、示されている。Ｊｕｍｐ＃３は、そして、読出し／書きこみヘッドがトラックセグメント７にジャンプして戻るときに、発生する。記録バッファ及びトラックバッファは再び上述のように初期化されるので、トラックバッファを充填するために、プログラムセグメント７及び８は最初に読まれる。
【００７１】
２分の１秒以内又は第１のジャンプの後に、トラックバッファ内に蓄積された２つのプログラムセグメントと記録バッファに蓄積された１つのセグメントがあるべきである。この点で、復号器は、活性化されることができ、そして、デッキは、最高レートの最初のインターリーブされたパターンのセグメントの交互の書きこみ及び読出しを開始する。書きこみ／読み出しビットレートは、１１Ｍｂ／ｓ（１Ｘ装置）に等しいので、そして、符号化器及び復号器の合計のビットレートは、１０Ｍｂ／ｓであるので、フロントエンドは、セグメント書きこみ／セグメント読出しのサイクル（９０９ミリ秒）ごとに、記録バッファから０．４５５Ｍｂの再生バッファへのビットの平均的な再分配を発生できる。この結果、フロントエンドは、更なる約５秒で再生バッファをほぼ充填でき、そして、この同じ期間中に記録バッファをほぼ空にできる。各バッファは、約３セグメント又は、７．５ＭＢを保持する。従って、セグメント２を読んだ後に、レコーダは他の長いジャンプの準備が出来ている。
【００７２】
バッファが初期化された後に、シーケンスが開始する。プログラムセグメント２８は、トラックセグメント１６に書きこまれ、プログラムセグメント９はトラックセグメント１７から読み出され、プログラムセグメント２９は、トラックセグメント１８に書きこまれ、プログラムセグメント１０はトラックセグメント１９から読み出され、プログラムセグメント３０は、トラックセグメント２０に書きこまれ、プログラムセグメント１１はトラックセグメント２１から読み出され、プログラムセグメント３１は、トラックセグメント２２に書きこまれ、プログラムセグメント１２はトラックセグメント２３から読み出され、そして、プログラムセグメント３２は、トラックセグメント２４に書きこまれる。
【００７３】
次の読み出されるべきプログラムセグメントは、即ち、プログラムセグメント１３は、トラックセグメント２３の後に順次に配置されていないがしかし、トラックセグメント４に配置されている。Ｊｕｍｐ＃４は読出し／書きこみヘッドがトラックセグメント４に戻るときに発生し、プログラムセグメント１３が読み出せる。バッファは既に初期化されており、それにより、１つのプログラムセグメントのみが、次のプログラムセグメントが書きこまれる前に読み出される必要がある。以下のシーケンスは、Ｊｕｍｐ＃４の後に発生する。プログラムセグメント１３はトラックセグメント４から読み出され、プログラムセグメント３３はトラックセグメント５に書きこまれ、プログラムセグメント１４はトラックセグメント６から読み出され、プログラムセグメント３４はトラックセグメント７に書きこまれ、プログラムセグメント１５はトラックセグメント８から読み出され、プログラムセグメント３５はトラックセグメント９に書きこまれ、プログラムセグメント１６はトラックセグメント１０から読み出され、プログラムセグメント３６はトラックセグメント１１に書きこまれ、プログラムセグメント１７はトラックセグメント１２から読み出され、そして、プログラムセグメント３７はトラックセグメント１３に書きこまれる。
【００７４】
プログラムセグメント３３はプログラムセグメント３を上書きし、プログラムセグメント３４はプログラムセグメント４を上書きし、プログラムセグメント３５はプログラムセグメント５を上書きし、プログラムセグメント３６はプログラムセグメント６を上書きし、そして、プログラムセグメント３７はプログラムセグメント７を上書きするのがわかる。
【００７５】
次の読み出されるべきプログラムセグメントは、即ちプログラムセグメント１８は、トラックセグメント１３の後に順次に配置されていないがしかし、トラックセグメント２６に配置されている。Ｊｕｍｐ＃５はそして、読出し／書きこみヘッドがトラックセグメント２６にジャンプするときに発生し、プログラムセグメント１８が読み出せる。バッファは初期化されていない。以下のシーケンスは、Ｊｕｍｐ＃５の後に発生し、プログラムセグメント１８はトラックセグメント４から読み出され、プログラムセグメント３８はトラックセグメント５に書きこまれ、プログラムセグメント１４はトラックセグメント６から読み出され、プログラムセグメント３４はトラックセグメント７に書きこまれ、プログラムセグメント１５はトラックセグメント８から読み出され、プログラムセグメント３５はトラックセグメント２７に書きこまれる。時間シーケンス図はプログラムセグメント３８の記録で終わるが、しかし、インターリーブされたセグメントのパターン内の記録と再生は、プログラムが終了するか又は、他の一時停止が発生するまで継続する。
【００７６】
１つの更なるジャンプは、図１６ｃのトラックセグメントジャンプ図に示されている。ＪＵＭＰ＃６は、トラックセグメント２７からトラックセグメント１６であり、それにより、プログラムセグメント２８は、プログラムセグメント２７の再生後に再生できる。第１の６つのジャンプの長さも示されている。最長のジャンプ、ＪＵＭＰ＃３は、ＲＥＳＵＭＥ＃２の後の第２の一時停止の最後である。
【００７７】
２つの基本的な規則は動作の安定状態モード中に、読み出し／書きこみヘッドの移動を制御することが、前述から分かる。このモードは、インターリーブされたセグメントの第１及び第２のパターンが確立された後に且つ、記録バッファ及びトラックバッファが初期化された後に、第２の一時停止が終了した後に確立される。第１の規則は、第１又は第２のパターンの各々以内で、順に記録されたセグメントが再生できる限り、交互の記録及び再生の途中にセグメントの第１又は第２のパターンの各々以内で、セグメントからセグメントに順次移動する。第２の規則は、最も古い再生されていない記録されたセグメントがセグメントの第１又は第２のパターンの１つ以外にあるときのみの、セグメントの第１と第２のパターンの間のジャンプである。これらの規則は、大部分の交互の読出し及び書き込みは連続するセグメントで発生するので、ジャンプの数が最小化されることを保証する。これらの規則は、特に長いジャンプの、ジャンプの数も最小化されることを保証する。
【００７８】
インターリーブされたセグメントの第２のパターンは、通常は、インターリーブされたセグメントの第１のパターンを２つのパターン又は、サブパターンに分割する効果を有する、これらの規則の実行は、らせんトラック図から理解されよう。この特徴化は正確であるが、処理の説明を複雑にする。
【００７９】
ジャンプとバッファのこの管理は、特定の状況下では、例えば、２つの長いジャンプが約０．５秒の読出し／書きこみのみにより、分離されている場合には、更に複雑である。そのような、短い時間では、バッファは、第２のこれらのジャンプの前にトラックバッファがほぼ充填されており且つ記録バッファがほぼ空であるということを保証するための、その充填度の状態が制御されることが出来ない。従って、１つの一時停止能力に対して、２つの一時停止能力のためには、ほぼ２倍のバッファ容量を供給することが必要である。
【００８０】
大きなバッファが実際的でない場合には、代わりの解決方法は、前もってそのような状態を検知することである。第２の一時停止の実行は、第１の一時停止から生じるインターリーブされた第１のパターンの交互の再生と記録の終わりまで、要求された時間からの第２の一時停止の開始を遅延するために、制御される。
【００８１】
本発明の配置はビデオ／オーディオ又は、オーディオのみに、及び、ＤＶＤディスク、ハードディスク又は、ミニディスクのようなＭＯＤディスクの記録に、適用できる。
【００８２】
全体的に、上述の本発明の配置は、視聴者が、プログラムを中断し、そして中断後に、遅延無く且つプログラム内容を失うことなくシームレスにプログラムの視聴を再開することを可能とする、新たな種類のＤＶＤの特徴を提供する。さらに、本発明の配置は、例えば、予め記録されたＤＶＤをも再生でき且つ他に従来の記録もできる、リライタブルＤＶＤ装置のような、基本的なリライタブルディスク媒体装置で実行できる。
【図面の簡単な説明】
【図１】  本発明の配置に従って、一時停止及び再生の間の記録機能を有するリライタブルＤＶＤ装置のブロック図である。
【図２】  本発明の配置の一時停止及び再生の間の記録機能に従って、どのように記録可能なセグメントを、リライタブルＤＶＤのらせんトラックに関連させるかを示すのに有益な図である。
【図３】  発明の配置に従った一時停止及び再生の間の記録機能を実行するための、本発明の配置に従った方法を示す図である。
【図４】  本発明の配置に従った一時停止及び再生の間の記録機能を実行するための、本発明の配置に従った方法を示す図である。
【図５】  本発明の配置に従った一時停止及び再生の間の記録機能を実行するための、本発明の配置に従った方法を示す図である。
【図６】  本発明の配置に従った一時停止及び再生の間の記録機能を実行するための、本発明の配置に従った方法を示す図である。
【図７】  本発明の配置に従った一時停止及び再生の間の記録機能を実行するための、本発明の配置に従った方法を示す図である。
【図８】  本発明の配置に従った一時停止及び再生の間の記録機能を実行するための、本発明の配置に従った方法を示す図である。
【図９】  本発明の配置に従った一時停止及び再生の間の記録機能を実行するための、本発明の配置に従った方法を示す図である。
【図１０】  本発明の配置に従った一時停止及び再生の間の記録機能を実行するための、本発明の配置に従った方法を示す図である。
【図１１】  本発明の配置に従った一時停止及び再生の間の記録機能を実行するための、本発明の配置に従った方法を示す図である。
【図１２】  本発明の配置に従った一時停止及び再生の間の記録機能を実行するための、本発明の配置に従った方法を示す図である。
【図１３】  図３−１２に示された交互の記録／再生を要約するテーブルを示す図である。
【図１４】  図３−１２に示された進行を要約するテーブルを示す図である。
【図１５】  本発明の配置に従ったリライタブルＤＶＤ装置のバッファ管理を説明するのに有益なフローを示す図である。
【図１６ａ】  同じプログラム内での複数の一時停止中の記録及び再生を示す関連する図を示す図である。
【図１６ｂ】  同じプログラム内での複数の一時停止中の記録及び再生を示す関連する図を示す図である。
【図１６ｃ】  同じプログラム内での複数の一時停止中の記録及び再生を示す関連する図を示す図である。
【図１】
0004980535.tif 000003
【図２】
0004980535.tif 000004
【図３】
0004980535.tif 000005
【図４】
0004980535.tif 000006
【図５】
0004980535.tif 000007
【図６】
0004980535.tif 000008
【図７】
0004980535.tif 000009
【図８】
0004980535.tif 000010
【図９】
0004980535.tif 000011
【図１０】
0004980535.tif 000012
【図１１】
0004980535.tif 000013
【図１２】
0004980535.tif 000014
【図１３】
0004980535.tif 000015
【図１４】
0004980535.tif 000016
【図１５】
0004980535.tif 000017
【図１６ａ】
0004980535.tif 000018
【図１６ｂ】
0004980535.tif 000019
【図１６ｃ】
0004980535.tif 000020